(57)【特許請求の範囲】
【請求項１】
ロール紙が転動可能な状態で収納されるロール紙収納部と、
前記ロール紙収納部に収納されたロール紙を、当該ロール紙収納部の底面から浮き上がった状態でその巻き芯を中心として回転可能に支持するためのロール紙軸支機構と、
前記ロール紙収納部の開口部を開閉するための開閉蓋とを有し、
前記ロール紙軸支機構は、
前記ロール紙収納部の側面に配置した、ロール紙の巻き芯に差し込み可能なロール紙支軸と、
前記ロール紙支軸を前記ロール紙収納部に収納されたロール紙の端面に押し付け可能な方向に付勢している付勢部材と、
前記開閉蓋の閉じ動作に連動して、前記ロール紙支軸を下降端位置から上昇端位置まで上昇させ、前記開閉蓋の開き動作に連動して、前記ロール紙支軸を前記下降端位置に戻す昇降機構とを備えていることを特徴とするロール紙プリンタ。
【請求項２】
請求項１に記載のロール紙プリンタにおいて、
前記ロール紙収納部の前記底面を規定しているロール紙ホルダと、
前記開閉蓋の開き動作に連動して、前記ロール紙ホルダを正立姿勢から前記開閉蓋の側に傾斜した前傾姿勢まで回転させ、前記開閉蓋の閉じ動作に連動して、前記ロール紙ホルダを前記前傾姿勢から前記正立姿勢に戻すホルダ回転機構とを有し、
前記昇降機構は、前記ロール紙ホルダの回転に連動して、前記ロール紙支軸を昇降させるようになっていることを特徴とするロール紙プリンタ。
【発明の詳細な説明】
【技術分野】
【０００１】
本発明は、ロール紙収納部に転動可能な状態で収納されているロール紙から繰り出される長尺状の記録紙に印字を行うロール紙プリンタに関するものである。更に詳しくは、ロール紙収納部内でのロール紙の移動に起因して紙送りローラに衝撃荷重が作用することを抑制して、精度良く紙送りを行うことのできるロール紙プリンタに関するものである。
【背景技術】
【０００２】
レシートなどを発行するロール紙プリンタでは、記録媒体として、長尺状の記録紙をロール状に巻き付けた構成のロール紙が用いられる。ロール紙は転動可能な状態でロール紙収納部に収納され、紙送りローラによって、ロール紙から記録紙が引き出されて、印字位置において印字ヘッドによって印字が施される。一般に、紙送りローラによる紙送りと、印字ヘッドによる印字が交互に繰り返されて、紙送り方向に沿って所定のピッチで印字が施される。特許文献１には、間欠的に所定のピッチで紙送りを行う給紙装置が開示されており、特許文献２には、紙送りと印字が交互に行われるプリンタが開示されている。
【０００３】
ロール紙はロール紙収納部内において幅方向の移動は規制されているが、その底面に乗っているだけなので、前後方向への転動が自由であり、また、底面からの浮き上がり動作も自由となっている。このため、紙送りローラによって間欠的に紙送りが行われる際などには、記録紙に引張り力が間欠的に作用するので、引張り力によってロール紙がロール紙収納部の底面に沿って前方に転がり、場合によっては、底面から浮き上がる場合がある。
【０００４】
ここで、前方に転がったロール紙が後方に戻る際、あるいは、浮き上がったロール紙が落下する際には、ロール紙の自重が一時的に紙送りローラに作用する。特に、紙送り速度を上げるための紙送り間隔を短くすると、ロール紙が後方に戻る動作、あるいは落下する動作と、次の紙送り動作が重なり、過大が紙送り負荷が紙送りローラに加わり、記録紙に滑りが生じ、精度良く紙送りを行うことができなくなる。
【０００５】
特許文献２に開示のプリンタでは、ロール紙から紙送りローラまでの間の記録紙を弾性力によって屈曲させた状態に保持し、紙送りの初期には記録紙の屈曲部分が伸びることにより、過大な負荷が紙送りローラの側に作用することを抑制している。
【特許文献１】特開平７−３３２９５号公報
【特許文献２】特開２００３−１９２２０２号公報
【発明の開示】
【発明が解決しようとする課題】
【０００６】
しかしながら、特に小型のロール紙プリンタでは、記録紙を弾性力によって屈曲させた状態に保持するための機構、そのような記録紙搬送経路の設置場所を確保できない場合がある。
【０００７】
本発明の課題は、このような問題点に鑑みて、記録紙搬送経路を弾性力によって屈曲させることなく、ロール紙収納部内でのロール紙の移動に起因して発生する紙送り負荷を抑制して、精度良く紙送りを行うことのできるロール紙プリンタを提案することにある。
【課題を解決するための手段】
【０００８】
上記の課題を解決するために、本発明のロール紙プリンタは、ロール紙が転動可能な状態で収納されるロール紙収納部と、前記ロール紙収納部に収納されたロール紙を、当該ロール紙収納部の底面から浮き上がった状態でその巻き芯を中心として回転可能に支持するためのロール紙軸支機構と、前記ロール紙収納部の開口部を開閉するための開閉蓋とを有している。また、前記ロール紙軸支機構は、前記ロール紙収納部の側面に配置した、ロール紙の巻き芯に差し込み可能なロール紙支軸と、前記ロール紙支軸を前記ロール紙収納部に収納されたロール紙の端面に押し付け可能な方向に付勢している付勢部材と、前記開閉蓋の閉じ動作に連動して、前記ロール紙支軸を下降端位置から上昇端位置まで上昇させ、前記開閉蓋の開き動作に連動して、前記ロール紙支軸を前記下降端位置に戻す昇降機構とを備えている。
【０００９】
本発明のロール紙プリンタでは、ロール紙収納部にロール紙を収納して開閉蓋を閉めると、開閉蓋の閉じ動作に連動してロール紙支軸が上昇する。ロール紙支軸は付勢部材によってロール紙の端面に押し付けられた状態で上昇し、ロール紙の巻き芯の位置に到ると、当該巻き芯に嵌り込む。この後は、ロール紙支軸によってロール紙が持ち上げられるので、ロール紙はロール紙収納部の底面から浮き上がる。開閉蓋を閉じた状態では、ロール紙がロール紙収納部の底面から浮き上がった状態でロール紙支軸によって軸支され、当該ロール紙支軸を中心として回転可能な状態を形成できる。
【００１０】
紙送り時においては、ロール紙はロール紙収納部の底面から離れた状態でロール紙支軸を中心として回転しながら記録紙が繰り出される。ロール紙収納部の底面との間の摩擦抵抗が無いので、ロール紙の回転が円滑に行われる。よって、紙送り負荷を小さくでき、しかもその変動を抑制できるので、ロール紙収納部内においてロール紙が前後、上下に移動してしまうことが抑制される。この結果、ロール紙の移動に起因して衝撃的な紙送り負荷が紙送りローラなどに作用することを回避できるので、紙送り精度を確保できる。
【００１１】
次に、開閉蓋を開けると、それに連動してロール紙支軸が下降する。ロール紙がロール紙収納部の底面に下りた後は、ロール紙支軸のみが下降するので、ロール紙支軸が巻き芯から引き抜かれる。したがって、開閉蓋を開けてロール紙を取り出す際に、ロール紙支軸が邪魔になることがない。
【００１２】
ここで、レジカウンタなどに設置される小型のロール紙プリンタでは、ロール紙収納部の開口部を大きくとれず、ロール紙収納部に対するロール紙の出し入れの際に、開口部を介して手を出し入れできない場合がある。特に、開口部が上方に開いておらず、プリンタ本体の前面、背面などに開口している場合にはロール紙の交換作業が不便になる。
【００１３】
このような場合には、ロール紙の交換作業を容易に行うことができるようにするために、開閉蓋に連動してロール紙を入れるためのロール紙ホルダを正立姿勢から開閉蓋の側に傾斜した前傾姿勢となるように回転させるホルダ回転機構を配置し、ロール紙を出し入れしやすくすることが望ましい。
【００１４】
開閉蓋を正立姿勢から前傾姿勢に回転させるホルダ回転機構が備わっている場合には、ロール紙支軸の昇降を、前記ロール紙ホルダに連動させて行うようにすることができる。
【発明の効果】
【００１５】
本発明のロール紙プリンタでは、ロール紙収納部に収納されているロール紙が、その巻き芯に差し込まれたロール紙支軸によって持ち上げられており、この状態でロール紙支軸を中心として回転可能となっている。したがって、ロール紙を回転させるための負荷が小さく、ロール紙を回転させながら記録紙を繰り出すための負荷が小さい。よって、紙送り時におけるロール紙の前後、上下の移動を抑制でき、このような移動に起因して発生する衝撃的な紙送り負荷を回避でき、紙送り精度を良好に保持できる。
【００１６】
このように、本発明によれば、ロール紙から繰り出された記録紙を弾性力によって屈曲させて紙送り開始時に紙送りローラに作用する過大な負荷を軽減するための機構、および、屈曲状態で記録紙を搬送するための記録紙搬送経路のための設置スペースを確保する必要ガない。よって、装置寸法の増加を招くことなく、紙送り負荷を低減して紙送り精度を良好に保持できる。
【発明を実施するための最良の形態】
【００１７】
以下に、図面を参照して、本発明を適用したロール紙プリンタの実施の形態を説明する。
【００１８】
（プリンタ全体構成）
図１は本発明を適用したインクジェット式のロール紙プリンタの外観斜視図であり、図２はその開閉蓋を全開にした状態の外観斜視図である。本例のロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００１９】
蓋開閉レバー６を操作すると開閉蓋３のロックが解除される。排紙ガイド５を前方に引くと、図２に示すように、開閉蓋３が下端部を中心として前方にほぼ水平となるまで開く。開閉蓋３が開くと、プリンタ内部に形成されているロール紙収納部１１が開放状態となり、同時に、ロール紙収納部１１から記録紙排出口４に到る記録紙搬送経路が開放状態となり、プリンタ前方からロール紙の交換作業などを簡単に行うことができるようになっている。
【００２０】
また、開閉蓋３の右隣にも開口部２ｃが形成されており、ここには、下端を中心として開閉可能な開閉蓋７が取り付けられている。この開閉蓋７を開けると、インク供給部であるインクカートリッジ装填部１８（図３参照）が開放状態となり、インクカートリッジの交換などを行うことができる。開閉蓋３の左隣は操作面２ｄとなっており、ここには、状態表示ランプ、ペーパーフィードボタンなどが配列されている。
【００２１】
（プリンタ内部構成）
図３はロール紙プリンタ１における外装ケース２ａに内蔵されているプリンタ機構部を示す斜視図であり、図４はプリンタ機構部を前後方向に切断した場合の概略縦断面図である。プリンタ機構部１０は、その幅方向の中央部分にロール紙収納部１１を備えており、このロール紙収納部１１にはロール紙１２がプリンタ幅方向に向いた横置き状態で収納されるようになっている。ロール紙収納部１１はロール紙１２を転動可能な状態で入れるためのロール紙ホルダ１１ａを備えており、このロール紙ホルダ１１ａは、ロール紙１２より僅かに広幅であり、その底面がプリンタ前後方向の中央が最も深くなった湾曲状の底板１１ｂによって規定されている。ロール紙１２をロール紙ホルダ１１ａに置くと、その底板１１ｂの前後の湾曲底面部分１１ｃ、１１ｄにロール紙１２の前後の外周面部分が当接した状態となる。
【００２２】
ロール紙収納部１１の上側には、ヘッドユニット１３が水平に取り付けられている。ヘッドユニット１３はヘッドユニットフレーム１４を備え、このヘッドユニットフレーム１４の左右の側板部分１４ａ、１４ｂの間にはキャリッジガイド軸１５が水平に架け渡されている。キャリッジガイド軸１５に沿って、インクジェットヘッド１６が下向き状態で搭載されているキャリッジ１７が往復移動可能となっている。
【００２３】
図３に示すように、ロール紙収納部１１の右隣におけるヘッドユニット１３の右側部分の下側部位には、インクカートリッジ装填部１８およびヘッドメンテナンスユニット２０が配置されている。下側に配置されているインクカートリッジ装填部１８には不図示のインクカートリッジを装着可能である。上側に配置されているヘッドメンテナンスユニット２０は、公知のヘッドメンテナンスユニットと同様に、インクジェットヘッド１６のノズル面を払拭するためのワイパおよびノズル面の各ノズルから吐出あるいは排出された廃インクを回収するための回収部（図示せず）が備わっている。ロール紙収納部１１の左隣におけるヘッドユニット１３の左側部分の下側部位は、制御基板（図示せず）が装着されている基板装着部２２となっている。
【００２４】
図４に示すように、プリンタ機構部１０の内部においては、ロール紙収納部１１とヘッドユニット１３の間における後側の部位に、プリンタ幅方向に沿って記録紙ガイド２３が水平に配置されている。記録紙ガイド２３の前側には、一段高い位置においてプリンタ前後方向に水平に、プラテンガイド２４が配置されている。プラテンガイド２４の真上には、キャリッジ１７に搭載されたインクジェットヘッド１６が配置されている。インクジェットヘッド１６のノズル面１６ａは、プラテンガイド２４の上面２４ａに対して一定のギャップで対峙しており、当該上面２４ａによって印字位置が規定されている。
【００２５】
印字位置を規定しているプラテンガイド２４と、記録紙ガイド２３との間には、後側紙送りローラ２５がプリンタ幅方向に水平に架け渡されている。後側紙送りローラ２５には下側から所定幅の後側紙押えローラ２６が所定の押圧力で押し付けられている。プラテンガイド２４における前端側の部位には、前側紙送りローラ２８が配置されている。前側紙送りローラ２８には、上側から前側紙押えローラ２９が押し付けられている。後側紙送りローラ２５および前側紙送りローラ２８は、ヘッドユニット１３に搭載されている紙送りモータ３１によって駆動される。
【００２６】
キャリッジ１７は、キャリッジモータ３２およびタイミングベルト３３を備えたキャリッジ搬送機構によって、プリンタ幅方向（印字幅方向）に往復移動される。キャリッジ１７を往復移動させながら、そこに搭載されているインクジェットヘッド１６により、ロール紙１２から繰り出されて印字位置に位置している記録紙１２ａの部分の表面に印字が行われる。記録紙１２ａの幅方向への一連の行印字が終了した後は、後側紙送りローラ２５および前側紙送りローラ２８が回転駆動されて、所定ピッチだけ記録紙１２ａが送り出される。この後に、次の行印字が行われる。このように、記録紙１２ａは、所定ピッチで間欠的に送り出されながらインクジェットヘッド１６によって印字が施される。
【００２７】
キャリッジ１７にはインクダンバ３４が搭載されており、ここには、可撓性のインクチューブ３５が接続されている。インクチューブ３５を介して、インクカートリッジ装填部１８に装着されているインクカートリッジから各色のインクがインクジェットヘッド１６に供給され、インクジェットヘッド１６によりフルカラー印刷を行うことが可能となっている。
【００２８】
印字後の記録紙１２ａが排出される記録紙排出口４には、鋏式の記録紙切断装置４０が配置されている。記録紙切断装置４０の固定刃４１は上向き状態で垂直に配置されており、その可動刃４２は下向きで垂直に配置されている。可動刃駆動機構４３によって可動刃４２がプリンタ幅方向の一方の端を支点として上下方向に旋回すると、固定刃４１との接触点がプリンタ幅方向に移動して、これらの間に位置する記録紙１２ａを幅方向に切断できる。
【００２９】
ここで、開閉蓋３の側には、プラテンガイド２４、記録紙ガイド２３、後側紙押えローラ２６、前側紙送りローラ２８、固定刃４１、蓋開閉レバー６および記録紙排出ガイド５が取り付けられている。開閉蓋３は、後述の平行リンク機構によって、水平状態を保持したまま開閉するように構成されている。
【００３０】
開閉蓋３を開けると、ロール紙収納部１１のロール紙出し入れ用の開口部２ｂが開放状態になると共に、ロール紙収納部１１から記録紙排出口４に到る記録紙搬送経路が開放状態になる。したがって、ロール紙収納部１１にロール紙１２を収納し、ロール紙１２から記録紙１２ａを所定の長さだけ引き出し、しかる後に開閉蓋３を閉じると、図４において太い一点鎖線で示すように、ロール紙収納部１１に収納されているロール紙１２から引き出された記録紙１２ａが、記録紙ガイド２３によってガイドされ、後側紙送りローラ２５および後側紙押えローラ２６の間からプラテンガイド２４の上面２４ａ（印字位置）を経由して前側紙送りローラ２８および前側紙押えローラ２９の間を通って記録紙排出口４から外部に引き出された記録紙セット状態が形成される。
【００３１】
この状態で後側紙送りローラ２５および前側紙送りローラ２８が回転すると、記録紙１２ａの搬送が開始される。記録紙１２ａが所定ピッチで間欠的に搬送され、インクジェットヘッド１６によって印字位置を通過する記録紙１２ａの表面に印字が行われる。所定の印字が終了した後は、例えば、印字後の記録紙１２ａの部分を記録紙排出口４から排出し、記録紙切断装置４０によって記録紙１２ａの印字部分の後端位置が切断され、所定長さの印字済みの記録紙片が発行される。
【００３２】
（蓋開閉機構）
次に、図５および図６は、開閉蓋３を開閉するための蓋開閉機構を取り出して示す側面図および斜視図である。図７は蓋開閉機構をほぼ４５度開けた状態の側面図である。図８および図９は、蓋開閉機構を水平に倒した状態を示す側面図および斜視図である。
【００３３】
本例の蓋開閉機構５０は、揺動板５１と、この揺動板５１の後側に配置されている左右の揺動アーム５２、５３と、平行移動板５４とを備え、これらによって四節の平行リンク機構が構成されている。揺動板５１は、プリンタ幅方向に延びる前板部分５１ａを備え、この前方に開閉蓋３が取り付けられる。前板部分５１ａの左右の端には後側に直角に折り曲げられた側板部分５１ｂ、５１ｃが形成されている。この形状の揺動板５１は左右の側板部分５１ｂ、５１ｃの下端部に取り付けた支軸５５、５６を中心としてプリンタ前後方向に揺動可能である。揺動板５１の左右の側板部分５１ｂ、５１ｃの後側に、左右の揺動アーム５２、５３が配置されており、これらの揺動アーム５２、５３も下端部に取り付けたプリンタ幅方向に水平に延びる支軸６１を中心としてプリンタ前後方向に揺動可能である。
【００３４】
平行移動板５４は、これらの揺動板５１および左右の揺動アーム５２、５３の上端部分に水平に架け渡されている。平行移動板５４は、プリンタ幅方向に水平に配置されている水平板部分５４ａと、水平板部分５４ａの左右の端から上方に直角に折り曲げられている左右の側板部分５４ｂ、５４ｃとを備えている。左右の側板部分５４ｂ、５４ｃには、前後にそれぞれプリンタ幅方向に水平に延びる支軸６２、６３が貫通しており、前側の支軸６２には揺動板５１の左右の側板部分５１ｂ、５１ｃの上端部分が回転自在の状態で連結され、後側の支軸６３には左右の揺動アーム５２、５３の上端部分が回転自在の状態で連結されている。
【００３５】
平行移動板５４の水平板部分５４ａにはプラテンガイド２４が搭載されており、その左右の側板部分５４ｂ、５４ｃの間には前側紙送りローラ２８および後側紙押えローラ２６がプリンタ幅方向に架け渡されている。また、水平板部分５４ａの前端側部分には排紙ガイド５が取り付けられている。
【００３６】
このように、本例では、揺動板５１と、左右の揺動アーム５２、５３と、これらの上端部に架け渡した平行移動板５４とによって四節の平行リンク機構が構成されており、この平行リンク機構は、図５、６に示すほぼ垂直に起立した閉じ位置から、前方にほぼ水平に倒された図８、９に示す全開位置まで開けることができる。また、平行移動板５４は水平姿勢が保持された状態で移動するので、そこに搭載されている各部品５、２３、２４、２６、２８などが水平な姿勢を保持したまま上下方向に平行移動する。
【００３７】
（ホルダ回転機構）
ここで、ロール紙収納部１１のロール紙ホルダ１１ａは、支軸６１を中心としてプリンタ前後方向に回転可能である。このロール紙ホルダ１１ａとプリンタメインフレーム６５の間には、引張りコイルばね６７が架け渡されている。引張りコイルばね６７によってロール紙ホルダ１１ａは上方に開口した正立姿勢に保持されている（図４、５参照）。
【００３８】
また、ロール紙ホルダ１１ａの前端の一方の側の縁には側方に突出した状態で係合突起６８が形成されている。係合突起６８は、揺動アーム５３の揺動軌跡上に突出している。開閉蓋３を閉じた状態では、係合突起６８は揺動板５１の側板部分５１ｃの前方内側に位置している。開閉蓋３を閉じ位置からほぼ４５度開けると、図７に示すように、揺動アーム５３が前方に倒れて当該係合突起６８に当たる。これ以後は揺動アーム６３は係合突起６８を押しながら移動する。すなわち、ロール紙ホルダ１１ａが支軸６１を中心として前方に徐々に傾斜していく。開閉蓋３を全開位置まで開くと、図８、９に示すように、ロール紙ホルダ１１ａはほぼ４５度前方に傾斜した前傾姿勢となる。また、揺動アーム５３は、引張りコイルばね６７によってその下端部を中心として上方に引張られた状態になる。
【００３９】
このように、本例では、開閉蓋３の開閉動作に連動してロール紙ホルダ１１ａが正立姿勢および前傾姿勢に切り替わる。開閉蓋３を開けた場合にはロール紙ホルダ１１ａが前傾姿勢となり、ロール紙１２の交換作業等が容易になる。
【００４０】
（ロール紙軸支機構）
次に、本例のロール紙収納部１１にはロール紙軸支機構が配置されており、ロール紙１２がロール紙ホルダ１１ａの底面部分１１ｃ、１１ｄから浮き上がった状態で、その巻き芯を中心として回転可能に支持支されるようになっている。
【００４１】
図１０および図１１は、本例のロール紙軸支機構を取り出して示す斜視図および側面図である。図１２および図１３は、開閉蓋３を開けた状態のロール紙軸支機構を示す斜視図および側面図である。
【００４２】
これらの図を参照して説明すると、本例のロール紙軸支機構７０は、ロール紙収納部１１の側面を規定している側板７１に配置したロール紙支軸７２を備えている。ロール紙支軸７２の先端部分は先細りの円錐台形状をしており、ロール紙１２の巻き芯１２ｃ（図４参照）に、遊びのある状態で差し込み可能な太さとされている。ロール紙支軸７２は垂直揺動板７３の内側表面に一体形成されている。垂直揺動板７３は、上端部を中心としてプリンタ幅方向に揺動可能な状態で、昇降板７４に取り付けられている。また、圧縮コイルばね、捻りばねなどの不図示の付勢部材によって内側に向けて付勢されている。
【００４３】
昇降板７４は、側板７１に形成した前後の垂直ガイド溝７１ａ、７１ｂに沿って上下方向に移動可能である。この昇降板７４と、側板７１の間には、上下方向に伸びている引張りコイルばね７５が架け渡されており、この引張りコイルばね７５の引張り力によって、昇降板７４は下方に向けて常に付勢されている。
【００４４】
昇降板７４の前端部の内側面からは内方に円形の係合突起７６が突出している。この係合突起７６の下側には、ロール紙ホルダ１１ａの側板部分１１ｆの傾斜上端面１１ｇが位置している。昇降板７４は引張りコイルばね７５によって下方に引張られているので、当該係合突起７６が正立姿勢のロール紙ホルダ１１ａにおける傾斜上端面１１ｇに上側から係合し、これによって、昇降板７４が所定の高さ位置（上昇端位置）に保持されている。
【００４５】
ロール紙ホルダ１１ａの傾斜上端面１１ｇは後方に向けて下方に傾斜しており、この傾斜上端面１１ｇの下方にロール紙ホルダ１１ａの回転中心となる支軸６１が位置している。したがって、図１２、１３に示すように、ロール紙ホルダ１１ａが前方に回転すると、これに伴って、傾斜上端面１１ｇにおける係合突起７６との接触位置が下方に移動する。このため、ロール紙ホルダ１１ａの回転に伴って昇降板７４が下降する。
【００４６】
ロール紙ホルダ１１ａは、先に説明したように、開閉蓋３の開閉に連動して回転し、開閉蓋３を閉じると正立姿勢となり、開閉蓋３を開けると前傾姿勢まで倒れる。したがって、開閉蓋３の開閉に連動して、ロール紙ホルダ１１ａによって昇降する昇降板７４に形成されているロール紙支軸７２も昇降する。このように、ロール紙支軸７２が形成されている垂直揺動板７３と、これが取り付けられている昇降板７４と、係合突起７６および傾斜上端面１１ｇからなるカム機構とによって、ロール紙支軸７２の昇降機構が構成されている。
【００４７】
この構成のロール紙軸支機構７０の作用効果を説明する。開閉蓋３を全開にした状態では、ロール紙ホルダ１１ａが前傾姿勢となっており、図１２、１３に示すように、ロール紙支軸７２はその下降端位置に位置している。ロール紙１２を前傾姿勢のロール紙ホルダ１１ａに入れた後に開閉蓋３を閉じると、開閉蓋３の閉じ動作に連動してロール紙ホルダ１１ａがその正立姿勢に向けて徐々に回転し、これに伴って、昇降部材７４が押し上げられ、そこに形成されているロール紙支軸７２も押し上げられる。
【００４８】
ロール紙支軸７２の先端はロール紙１２の端面に押し付けられた状態で当該端面に沿って上昇する。ロール紙支軸７２は、ロール紙ホルダ１１ａの前後方向の中央に配置されており、ロール紙ホルダ１１ａに入れたロール紙１２の巻き芯１２ｃを通る経路に沿って上昇し、上昇途中において巻き芯１２ｃに嵌り込む。
【００４９】
この後は、ロール紙支軸７２によってロール紙１２も持ち上げられる。開閉蓋３を完全に閉じた状態では、図１０、１１に示すように、ロール紙支軸７２がその上昇端まで持ち上げられる。ロール紙支軸７２の上昇端位置は、最大径のロール紙１２が収納されている状態においても、当該ロール紙１２がロール紙ホルダ１１ａの底面から僅かではあるが浮き上がった状態となるように規定されている。
【００５０】
このように、ロール紙１２は、ロール紙支軸７２によってロール紙ホルダ１１ａから浮き上がった状態で軸支される（図４参照）。紙送り時においては、ロール紙１２はロール紙ホルダ１１ａから浮き上がった状態にあるので、ロール紙支軸７２を中心として小さな力で回転させることができる。よって、後側紙送りローラ２５に作用する紙送り負荷を格段に低減することができる。この結果、紙送り時にロール紙１２に作用する引張り力も低減されるので、紙送り時にロール紙１２がロール紙ホルダ１１ａの内部で前後、上下に移動してしまうことも無い。よって、ロール紙１２に移動に起因して、衝撃的な紙送り負荷が後側紙送りローラ２５などに作用して、送り出される記録紙１２ａに滑りが生じて、紙送り精度が低下することも確実に回避される。
【００５１】
次に、開閉蓋３を開けると、それに連動してロール紙支軸７２が下降する。ロール紙１２がロール紙ホルダ１１ａの底面部分１１ｃ、１１ｄに下りた後は、昇降板７４と共にロール紙支軸７２のみが下降する。よって、ロール紙支軸７２が強制的にロール紙１２の巻き芯１２ｃから引き抜かれ、ロール紙１２の端面に押し付けられた状態で下降する。このようにして、開閉蓋３が完全に開いた状態では、ロール紙支軸７２がロール紙１２の巻き芯１２ｃから引き抜かれているので、ロール紙１２を取り出す際にロール紙支軸７２が邪魔になることもない。
【００５２】
（その他の実施の形態）
なお、上記の例では、開閉蓋３の開閉に連動して前後に回転するロール紙ホルダ１１ａに連動させてロール紙支軸７２を昇降させるようにしている。この代わりに、開閉蓋３の開閉に直接に連動させてロール紙支軸７２を昇降させるようにしてもよい。また、ロール紙支軸７２をロール紙収納部１１の両側に配置し、ロール紙１２を両側から軸支するようにしてもよい。
【００５３】
次に、上記の例は印字ヘッドとしてインクジェットヘッドを備えているが、サーマルヘッドなど別の形態の印字ヘッドを備えたロール紙プリンタに対しても本発明を同様に適用可能である。
【図面の簡単な説明】
【００５４】
【図１】本発明を適用したロール紙プリンタの外観斜視図である。
【図２】開閉蓋を開いた状態のロール紙プリンタの外観斜視図である。
【図３】ロール紙プリンタのプリンタ機構部を示す斜視図である。
【図４】プリンタ機構部の概略縦断面図である。
【図５】蓋開閉機構を示す側面図である。
【図６】蓋開閉機構の斜視図である。
【図７】蓋開閉機構をほぼ４５度開けた状態を示す側面図である。
【図８】蓋開閉機構の全開状態を示す側面図である。
【図９】蓋開閉機構の全開状態を示す斜視図である。
【図１０】ロール紙軸支機構を示す斜視図である。
【図１１】ロール紙軸支機構を示す側面図である。
【図１２】開閉蓋を開けた状態のロール紙軸支機構を示す斜視図である。
【図１３】開閉蓋を開けた状態のロール紙軸支機構を示す側面図である。
【符号の説明】
【００５５】
１  ロール紙プリンタ、２  プリンタ本体、３  開閉蓋、４  記録紙排出口、１１  ロール紙収納部、１１ａ  ロール紙ホルダ、１１ｂ  底板、１１ｃ，１１ｄ  湾曲底面部分、１１ｆ  側板部分、１１ｇ  傾斜上端面、１２  ロール紙、１２ａ  記録紙、１２ｃ  巻き芯、１３  ヘッドユニット、２４  プラテンガイド、２５  後側紙送りローラ、２６  後側紙押えローラ、２８  前側紙送りローラ、２９  前側紙押えローラ、３１  紙送りモータ、４０  記録紙切断装置、５０  蓋開閉機構、５１  揺動板、５１ａ  前板部分、５１ｂ，５１ｃ  側板部分、５２，５３  揺動アーム、５４  水平移動板、５４ａ  水平板部分、５４ｂ，５４ｃ  側板部分、５５，５６，６１，６２，６３  支軸、６７  引張りコイルばね、６８  係合突起、７０  ロール紙軸支機構、７１  側板、７２  ロール紙支軸、７３  垂直揺動板、７４  昇降板、７５  引張りコイルばね、７６  係合突起
【図１】
0004802743.tif 000002
【図２】
0004802743.tif 000003
【図３】
0004802743.tif 000004
【図４】
0004802743.tif 000005
【図５】
0004802743.tif 000006
【図６】
0004802743.tif 000007
【図７】
0004802743.tif 000008
【図８】
0004802743.tif 000009
【図９】
0004802743.tif 000010
【図１０】
0004802743.tif 000011
【図１１】
0004802743.tif 000012
【図１２】
0004802743.tif 000013
【図１３】
0004802743.tif 000014